(57)【要約】      （修正有）【課題】バスト部分やお腹回りの窮屈感を軽減可能な上衣を提供する。【解決手段】両脇部分から腋下部を経て袖口に亘りマチ布６を縫合した上衣１において、マチ布６の両脇部分の前身頃２側に、袖ぐり部分から胴部の裾部に亘る補助マチ布７を追加縫合する。【選択図】図１
0003226038.tif 000002
【実用新案登録請求の範囲】
【請求項１】
両脇部分から腋下部を経て袖口に亘りマチ布を配置した上衣において、前記マチ布の両脇部分の前身頃側に、袖ぐり部分から胴部の裾部に亘る補助マチ布を追加配置したことを特徴とする上衣。
【請求項２】
前記補助マチ布と前記前身頃の縫合ラインが、上衣の幅方向において、バストトップ位置を通るラインよりも外側に位置していることを特徴とする請求項１に記載の上衣。
【請求項３】
前記前身頃に、前記バストトップ位置から前記補助マチ布に向かって延びるダーツを設けたことを特徴とする請求項２に記載の上衣。
【請求項４】
前記マチ布の前記腋下部の裏面に、さらに別布を縫合していることを特徴とする請求項１から請求項３のいずれか一つに記載の上衣。
【考案の詳細な説明】
【技術分野】
【０００１】
本考案は、脇にマチが設けられた上衣に関する。
【背景技術】
【０００２】
肥満体形の人は、上衣を着用した時に、バスト部分やお腹回り、腕回りに窮屈感を覚えることが多い。このため、従来、バスト部分やお腹回り、腕回りに余裕を持たせて、上衣の窮屈感を軽減させるために、両脇部分から腋部分を経て袖部の袖口近くに亘り連続したマチ布を配置した上衣が知られている（特許文献１）。
【先行技術文献】
【特許文献】
【０００３】
【特許文献１】実用新案登録第３１０９８５９号
【考案の概要】
【考案が解決しようとする課題】
【０００４】
ところで、より大きな肥満体形の人は、腕回りよりも特にバスト部分やお腹回りに窮屈感がある。この窮屈感を軽減させるために、特許文献１の上衣のマチ布の幅を広げると、袖ぐりや袖幅が大きくなって、全体のシルエットが悪くなり、肥満体形をスマートに見せることができず、肥満体形がより強調される。
【０００５】
肥満体形の人が上衣を購入するポイントとして、着痩せした感じに見えるということが非常に重要である。
【０００６】
本考案は、このような事情に鑑みてなされたものであり、袖ぐりや袖幅を大きくすることなく、全体のシルエットをできるだけ悪くすることなく、バスト部分やお腹回りの窮屈感を軽減することができる上衣を提供することを目的とする。
【課題を解決するための手段】
【０００７】
上記課題を解決するために、本考案に係る上衣は、両脇部分から腋下部を経て袖口に亘りマチ布を配置した上衣において、前記マチ布の両脇部分の前身頃側に、袖ぐり部分から胴部の裾部に亘る補助マチ布を追加配置したことを特徴とする。
【０００８】
また、前記補助マチ布と前記前身頃とは、上衣の幅方向において、バストトップ位置を通るラインよりも外側で縫合されていることを特徴とする。
【０００９】
また、前記前身頃には、前記バストトップ位置から前記補助マチ布に向かって延びるダーツが設けられていることを特徴とする
【００１０】
また、前記マチ布の前記腋下部の裏面に、さらに別布が縫合されていることを特徴とする。
【考案の効果】
【００１１】
本考案によると、上衣の胴部に補助マチ布が配置されるため、袖ぐりや袖幅を大きくすることなく、全体のシルエットをできるだけ悪くすることなく、バスト部分やお腹回りの窮屈感を軽減可能な上衣を提供できる。
【図面の簡単な説明】
【００１２】
【図１】実施形態の上衣の正面図である。
【図２】上衣の背面図である。
【図３】袖を上げた状態の上衣を側方から見た図である。
【図４】上衣の胴部を構成する各パーツを分解して示す図である。
【図５】その他の実施形態の上衣の正面図である。
【考案を実施するための形態】
【００１３】
以下、図１から図４を用いて、本考案の実施の形態について説明する。以下の説明における、上衣１の上下方向および幅方向は、図１における上衣１の配置を基準とする。また、上衣１の前後は、上衣１を着用した着用者を基準とした前後を言う。また、上衣１の裏面は、着用者の身体に対向する側の面を言い、表面は、その反対側の面を言う。
【００１４】
図１および図２に示すように、上衣１は、前身頃２と、後身頃３と、上袖４と、袖口５と、マチ布６と、補助マチ布７と、襟８と、を有する。
【００１５】
図１に示すように、上衣１の前側は、幅方向の中央から外側に向かって、前身頃２、補助マチ布７、マチ布６の順に縫合されて構成されている。すなわち、上衣１の前側は、通常の上衣の前身頃よりも幅寸法が小さい前身頃２の両脇に補助マチ布７およびマチ布６が配置されることで、通常の上衣の前身頃と同様の幅寸法を有するように構成されている。
【００１６】
前身頃２は、一対の上前身頃および下前身頃で構成されている。前身頃２には、バストトップ位置Ｐから補助マチ布７に向かって延びるダーツ２１が設けられている。これにより、上衣１のバスト部分が立体的に形成される。よって、上衣１では、バスト部分の窮屈感を軽減することができる。
【００１７】
図２は、上衣１の背面図である。図２に示すように、上衣１の後側は、幅方向の中央から外側に向かって、後身頃３、マチ布６の順に縫合されて構成されている。すなわち、上衣１の後側は、通常の上衣の後身頃よりも幅寸法が小さい後身頃３の両脇にマチ布６が配置されることで、通常の上衣の後身頃と同様の幅寸法を有するように構成されている。
【００１８】
図１および図２に示すように、上衣１の袖は、袖を左右に広げたときに、上側に位置する上袖４と、袖下側に位置するマチ布６とが縫合されて構成されている。上袖４は、袖山側で袖ぐりに縫合されている。袖の袖口側には、袖口５が縫合されている。
【００１９】
前身頃２および後身頃３の襟ぐりには、襟８が縫合されている。
【００２０】
このように、上衣１では、両脇部分から腋下部を経て袖口に亘りマチ布６が配置されている。図３は、袖を上げた状態の上衣１を側方から見た図である。図３に示すように、マチ布６は、細長い形状を有する１つのパーツである。マチ布６は、前身頃２と後身頃３の間に位置する脇マチ部６１と、上袖４の袖下側に位置する袖マチ部６２とで構成されている。脇マチ部６１と袖マチ部６２の境界部分が、通常の上衣における袖底部分に該当する。以下の説明では、通常の上衣における袖底部分に該当する部分を腋下部Ａと呼ぶ。
【００２１】
脇マチ部６１は、上から下までほぼ均等な幅寸法を有する。袖マチ部６２は、袖口５に向かうにつれて幅寸法が小さくなっている。詳細には、袖マチ部６２の前側縁は、脇マチ部６１が延びる方向に延びていて、後側縁は、前側に傾斜して延びている。これにより、上衣１の胴部には、一定の幅寸法のマチが形成され、上衣１の袖には、袖口に向かって幅寸法が次第に小さくなるマチが形成される。このようなマチ布６を配置することによって、上衣１では、バスト部分やお腹回り、腕回りの窮屈感を軽減することができる。
【００２２】
マチ布６における腋下部Ａを中心とした一定の範囲の裏面には、別布９が縫合されている。すなわち、着用時に着用者の腋が接触する一定の範囲では、布が二枚に重ねられている。これにより、腋の汗が上衣１の表面に滲み出ることを抑制することができる。
【００２３】
上衣１には、さらに、袖ぐり部分から胴部の裾部に亘る補助マチ布７が配置されている。図４は、上衣１の胴部を構成する前身頃２、補助マチ布７、マチ布６、および、後身頃３を分解して示す図である。図４において、７ａは上袖４との縫合ラインであり、７ｂは前身頃２との縫合ラインであり、７ｃはマチ布６との縫合ラインである。
【００２４】
図１、図３および図４に示すように、補助マチ布７は、細長い形状である。詳細には、補助マチ布７の腋下部Ａの高さ位置より下側は、ほぼ均等な幅寸法である。補助マチ布７の腋下部Ａの高さ位置より上側は、上に向かうにつれて幅寸法が小さくなっている。これにより、上衣１の腋下部Ａの高さ位置より下には、マチ布６によるマチの幅寸法に、補助マチ布７によるマチの幅寸法が加えられた幅寸法のマチが形成される。上衣１の腋下部Ａの高さ位置より上には、肩方向に向かって幅寸法が次第に小さくなる補助マチ布７によるマチが形成される。なお、補助マチ布７は、上衣１の袖には配置されていない。すなわち、上衣１の袖は、マチ布６によるマチだけが形成される。
【００２５】
補助マチ布７と前身頃２の縫合ライン７ｂは、上衣の幅方向において、バストトップ位置Ｐを通るラインよりも両脇側に位置している。すなわち、上衣１では、前身頃２は、バストトップ位置Ｐを含むように形成されている。よって、前身頃２に、バストトップ位置Ｐから補助マチ布７に向かって延びるダーツ２１を設けることができる。このように、上衣１の胴部では、マチ布６および補助マチ布７によるマチに加えて、ダーツ２１を設けることができるため、バスト部分の窮屈感をより軽減することができる。
【００２６】
以上のごとく、上衣１は、両脇部分から腋下部を経て袖口に亘り配置したマチ布６とは別に、マチ布６の前身頃側に、袖ぐり部分から胴部の裾部に亘り補助マチ布７を追加配置している。よって、上衣１では、袖ぐりや袖幅を大きくすることなく、バスト部分や胴回りに余裕を持たせることができる。これにより、上衣１では、全体のシルエットを悪くすることなく、バスト部分やお腹回りの窮屈感を軽減することができる。
【００２７】
上記実施形態では、前身頃２は、ダーツ２１を有する。しかしながら、前身頃はダーツ２１を有さない構成であってもよい。また、図５に示すように、前身頃２の幅方向の中央側にギャザー２２が設けられる構成であってもよい。ギャザー２２によって、上衣１のバスト部分が立体的に形成されるので、バスト部分の窮屈感を軽減することができる。
【００２８】
上記実施形態では、上衣１では、マチ布６における腋下部Ａを中心とした一定の範囲の裏面に、別布９が縫合されている。しかしながら、当該部分に、別布９が縫合されていない構成であってもよい。また、当該部分に、別布９に代わって汗取り用のパッドなどが縫合されている構成であってもよい。
【００２９】
本考案は上記実施形態に限定されるものではなく、その他種々の態様で実施可能である。
【符号の説明】
【００３０】
１  上衣
２  前身頃
２１  ダーツ
２２  ギャザー
３  後身頃
４  上袖
６  マチ布
７  補助マチ布
９  別布
【図１】
0003226038.tif 000003
【図２】
0003226038.tif 000004
【図３】
0003226038.tif 000005
【図４】
0003226038.tif 000006
【図５】
0003226038.tif 000007
【手続補正書】
【提出日】令和2年2月18日(2020.2.18)
【手続補正１】
【補正対象書類名】実用新案登録請求の範囲
【補正対象項目名】全文
【補正方法】変更
【補正の内容】
【実用新案登録請求の範囲】
【請求項１】
両脇部分から腋下部を経て袖口に亘りマチ布が縫合された上衣において、前記マチ布の両脇部分の前身頃側に、袖ぐり部分から胴部の裾部に亘る補助マチ布が追加縫合されたことを特徴とする上衣。
【請求項２】
前記補助マチ布と前記前身頃の縫合ラインが、上衣の幅方向において、バストトップ位置を通るラインよりも外側に位置していることを特徴とする請求項１に記載の上衣。
【請求項３】
前記前身頃に、前記バストトップ位置から前記補助マチ布に向かって延びるダーツを設けたことを特徴とする請求項２に記載の上衣。
【請求項４】
前記マチ布の前記腋下部の裏面に、さらに別布を縫合していることを特徴とする請求項１から請求項３のいずれか一つに記載の上衣。